(57)【特許請求の範囲】
【請求項１】
液位センサーの保持体内にポンプモータの自動運転回路を収容し、上記保持体の基部は水中電動ポンプ上面の電源コード引出口と重合せられ定着具により脱着される取付部に形成され、該取付部には前記自動運転回路からの引出線を導出させる導出孔を縦設して該導出孔を前記電源コード引出口上と重合させ、前記自動運転回路からの引出線を電源コードからの各芯線およびモータ側からの引出線へそれぞれ接続具により分離可能に接続し、且つ、導出孔上から水密構造体を介して電源コードを導出させた状態により前記保持体基部を引出口上に装着させるよう構成した水中電動ポンプの自動運転用脱着式液位検出具において、前記自動運転回路はマイクロコンピュータ搭載の制御回路部および開閉部を有し、前記液位センサーは液位の変動に伴うフロートの傾動作動で内装電気開閉機構の接点がＯＮ−ＯＦＦに切り換えられて検出信号を発信する単一のフロート式液位センサーであり、液位上昇時に上記フロート式液位センサーの上傾作動による起動液位検出信号でポンプモータが起動し、ポンプモータの起動後液位下降による同液位センサーの下傾作動による切換り液位検出信号の検出までに要した時間を基準として、予め定められた所定の停止液位まで下降するのに要する時間を演算し、該演算した時間を限度としてポンプモータの運転が継続し、タイムアップによりポンプモータが停止するよう回路設定されていることを特徴とする、水中電動ポンプの自動運転用脱着式液位検出具。
【発明の詳細な説明】
【０００１】
【発明の技術分野】
本発明は、水中電動ポンプの自動運転用脱着式液位検出具に関するものである。
【０００２】
【従来技術とその問題点】
従来、水中電動ポンプの自動運転用液位検出には、制御液位とセンサー位置とが等高位置に設定された直接検出方式が採られ、ポンプモータの起動液位検出用と停止液位検出用の上下２個の液位センサーが用いられるのが通例である。そのため、フロート式の液位センサーではポンプモータの起動・停止の制御幅に合わせて、その都度上下センサー間の設置間隔を変更したりリード線の導出長さを調節しなければならず、且つ、制御幅の大きい場合に、その制御幅をカバーし得るフロートのリード線長さが必要となるが、リード線が長くなればフロートの傾動作用が不安定となって内装電気開閉機構のＯＮ−ＯＦＦ切り換えが適確に行われず、また、リード線の絡み付きを生じることもある。
【０００３】
また、ポンプモータ起動のためのＯＮ信号は液位センサーで与え、停止信号は同センサーによるＯＦＦ信号の検出後タイマーで一定時間運転を続けた後停止させるという方式のものも存在するが、一律のタイマー設定のため、タイムアップ位置が本来停止して欲しい所望の停止位置と必ずしも一致せず、精度の高い液位制御を行わせることはできない。
【０００４】
【発明の目的】
本発明の目的は、起動・停止の制御幅が大きい場合でもフロートのリード線を長く導出する必要がなくフロートの傾動作用が安定し、リード線の絡み付きを生じることなく精度の高い液位制御を単一のフロート式液位センサーで行わせることのできる、水中電動ポンプの自動運転用脱着式液位検出具を提供することにある。
【０００５】
【発明の構成】
本発明に係る水中電動ポンプの自動運転用脱着式液位検出具では、液位センサーの保持体内にポンプモータの自動運転回路を収容し、上記保持体の基部は水中電動ポンプ上面の電源コード引出口と重合せられ定着具により脱着される取付部に形成され、該取付部には前記自動運転回路からの引出線を導出させる導出孔を縦設して該導出孔を前記電源コード引出口上と重合させ、前記自動運転回路からの引出線を電源コードからの各芯線およびモータ側からの引出線へそれぞれ接続具により分離可能に接続し、且つ、導出孔上から水密構造体を介して電源コードを導出させた状態により前記保持体基部を引出口上に装着させるよう構成した水中電動ポンプの自動運転用脱着式液位検出具において、前記自動運転回路はマイクロコンピュータ搭載の制御回路部および開閉部を有し、前記液位センサーは液位の変動に伴うフロートの傾動作動で内装電気開閉機構の接点がＯＮ−ＯＦＦに切り換えられて検出信号を発信する単一のフロート式液位センサーであり、液位上昇時に上記フロート式液位センサーの上傾作動による起動液位検出信号でポンプモータが起動し、ポンプモータの起動後液位下降による同液位センサーの下傾作動により切換り液位検出信号の検出までに要した時間を基準として、予め定められた所定の停止液位まで下降するのに要する時間を演算し、該演算した時間を限度としてポンプモータの運転が継続し、タイムアップによりポンプモータが停止するよう回路設定されている。
【０００６】
【実施例】
以下実施例の図面により説明をする。
【０００７】
Ｐは本発明液位検出具の装着対象となる自動式水中電動ポンプ、１は先端部から液位センサー２を導出させた保持体であり、その中空部を利用してポンプモータＭの自動運転回路３を内装させ、保持体１の基部１ａは自動式水中電動ポンプＰの上面の電源コード引出口４と重合させる取付部に形成され、該取付部には自動運転回路３からの引出線を導下させると共に電源コード５を上導させるための導出孔６が縦設されている。前記自動運転回路３はマイクロコンピュータ搭載の制御回路部３ａおよび開閉部３ｂを有し、また、前記液位センサー２は液位の変動に伴うフロートの傾動作動で内装電気開閉機構（図示せず）の接点がＯＮ−ＯＦＦに切り換えられて検出信号を発信するフロート式の液位センサーであり、例えばポンプ設置槽内の液位上昇時に起動液位Ｌ１でフロートが上傾作動してＯＮ信号を検出することによりポンプモータＭが起動し、ポンプＰの排水作用で槽内液位が下降して切換り液位Ｌ２に達すればフロートが下傾作動してＯＦＦ信号を検出すると共に、ポンプモータＭの起動後上記ＯＦＦ信号検出までに要した時間、即ちポンプＰの排水作用によって起動液位Ｌ１から切換り液位Ｌ２まで液位が下降するのに要した時間ｔ１をカウントし該時間ｔ１を基準として、予め定められた所望の停止液位Ｌまで下降するのに要する時間ｔ２を演算し、該演算した時間ｔ２を限度としてポンプモータＭの運転が継続し、タイムアップによりポンプモータＭが停止するよう回路設定しておくのである。従ってポンプＰによる排水作用も液位センサー２によるＯＦＦ信号検出後一定時間続けられ、上記所望の停止液位ＬにおいてポンプＰによる排水作用も停止する。
【０００８】
図１に示すような非自動式水中電動ポンプＰ’に本発明液位検出具を装備させるについては、電源コード５からの各芯線をそれぞれモータ側からの引出線から分離させ、電源コード５を抽脱して図２の状態とした後、図３および図４に示す保持体１に縦設されている導出孔６を電源コード引出口４上へ合致させ、一旦抽脱した電源コード５を再び使用して、自動運転回路３からの引出線を電源コード５からの各芯線およびモータ側からの引出線へそれぞれ接続端子や端子台等の接続具７により分離可能に接続し、且つ、導出孔６上から栓状の水密構造体８を介して電源コード５を導出させた状態により、保持体基部１ａの外側を締付ボルト等の定着具９により定着させれば、先端部が側方へ張出された態様で液位検出具が装備され、非自動式水中電動ポンプＰ’が図５および図６に示す自動式水中電動ポンプＰに変換されることになる。
【０００９】
本発明液位検出具の装備された自動式水中電動ポンプＰを非自動式として使用する場合には図２のように保持体１の基部１ａを引出口４上から取り外し、且つ、電源コード５からの各芯線をモータ側からの引出線へ接続具７により分離可能に接続した状態で、引出口４から水密構造体８を介して電源コード５を導出させれば図１に示す非自動式水中電動ポンプＰ’が構成されるのである。
【００１０】
【発明の効果】
本発明液位検出具によれば、ポンプの運転制御のための液位検出を単一のフロート式液位センサーで行わせることができてローコストに生産し得られると共に、従来の直接検出方式のように制御幅に合わせて上下液位センサー間の設置間隔を変更したりリード線の導出長さを調節する操作が不要となり、また、起動・停止の制御幅が大きい場合でもフロートのリード線を長く導出する必要がなくフロートの傾動作動が安定し、リード線の絡み付きを生じるおそれもなく精度の高い液位制御を行わせることができるという効果がある。
【００１１】
更にまた、既製の非自動式水中電動ポンプに本発明液位検出具を取付けるのみで直ちに自動式水中電動ポンプとして使用でき、また、これを取外すことによって元の非自動式水中電動ポンプに復させることもできるという利点がある。
【図面の簡単な説明】
【図１】  本発明に係る液位検出具の装着対象となる非自動式水中電動ポンプの要部縦断側面図である。
【図２】  図１の非自動式水中電動ポンプから電源コードを抽脱した状態を示す要部縦断側面図である。
【図３】  本発明液位検出具の要部縦断側面図である。
【図４】  本発明液位検出具の平面図である。
【図５】  図２の状態から本発明液位検出具の装着により構成された自動式水中電動ポンプの要部縦断側面図である。
【図６】  図５に示した自動式水中電動ポンプの外観側面図である。
【図７】  本発明液位検出具を装備した自動式水中電動ポンプの構成を示すブロック図である。
【符号の説明】
１    保持体
１ａ  基部
２    フロート式液位センサー
３    ポンプモータの自動運転回路
３ａ  制御回路部
３ｂ  開閉部
４    電源コード引出口
５    電源コード
６    導出孔
７    接続具
８    水密構造体
９    定着具
Ｍ    ポンプモータ
【図１】
0004627824.tif 000002
【図２】
0004627824.tif 000003
【図３】
0004627824.tif 000004
【図４】
0004627824.tif 000005
【図５】
0004627824.tif 000006
【図６】
0004627824.tif 000007
【図７】
0004627824.tif 000008